(57)【要約】【課題】除湿装置の衣類等の被乾燥物の乾燥運転時の無駄な運転を削減することを目的とする。【解決手段】本発明によれば、衣類等の被乾燥物の乾燥度合いの判断方法を重量推移による乾燥判断機能に切り替えることにより、特別な設置工事を必要とせず、従来からある持ち運び可能な除湿装置の大きさや重量の増加を最小限に抑え、２人から４人程度の家族構成の１日の洗濯物程度の量から手洗いする程度の量の被乾燥物の量にも左右されること無く、衣類等の被乾燥物が乾燥したことを精度良く判断して、無駄な運転を継続しないようにすることができるという効果を得ることができる。【選択図】図１
2013240406.tif 000002
【特許請求の範囲】
【請求項１】
室内の温度を検知する温度センサと室内の湿度を検知する湿度センサと前記温度センサと前記湿度センサで検知した室内の温度と湿度の推移から衣類等の被乾燥物の乾燥度合いを判断して停止する温湿度推移による乾燥判断機能を搭載した除湿装置に前記除湿装置に収納可能な大きさで手洗いする程度の量の衣類等の被乾燥物を吊るすことができる洗濯竿と前記洗濯竿に吊るされた衣類等の被乾燥物の重量を検知する重量センサと前記重量センサで検知した前記洗濯竿に吊るされた衣類等の被乾燥物の重量の推移から衣類等の被乾燥物の乾燥度合いを判断して停止する重量推移による乾燥判断機能を備え、前記重量センサの重量の発生から衣類等の被乾燥物の量が手洗いする程度の量と判断して、衣類等の被乾燥物の乾燥度合いの判断方法を前記重量推移による乾燥判断機能に切り替えることを特徴とする除湿装置。
【請求項２】
前記洗濯竿が使用されたことを検知する洗濯竿スイッチを設けて、前記洗濯竿スイッチの信号を検知して衣類等の被乾燥物の乾燥度合いの判断方法を前記重量推移による乾燥度合いの判断に切り替えることを特徴とする請求項１記載の除湿装置。
【請求項３】
手洗いする程度の衣類等の被乾燥物を乾燥する機能を選択する少量衣類乾燥スイッチを設けて、前記少量衣類乾燥スイッチが選択されたときに、衣類等の被乾燥物の乾燥度合いの判断方法を前記重量推移による乾燥度合いの判断に切り替えることを特徴とする請求項１記載の除湿装置。
【発明の詳細な説明】
【技術分野】
【０００１】
本発明は、除湿装置を使用して衣類等の被乾燥物を乾燥させる際に、衣類等の被乾燥物が乾燥したことを判断する方法に関する。
【背景技術】
【０００２】
従来、この種の除湿装置は、衣類乾燥の運転を開始した後、温度と湿度の推移から衣類等の被乾燥物が乾燥したことを判断する除湿装置が知られている（例えば、特許文献１参照）。
【０００３】
以下、その除湿装置について説明する。
【０００４】
室内の温度を検知する温度センサと室内の湿度を検知する湿度センサを用いて室内の温度と湿度を検知し、運転開始からの温度と湿度の推移と衣類乾燥の運転時間の長さから衣類等の被乾燥物が乾燥したことを判断して停止する。
【０００５】
また、この種の乾燥機は、衣類乾燥の運転を開始した後、衣類等の被乾燥物の重量の推移から衣類等の被乾燥物が乾燥したことを判断して停止する乾燥機が知られている（例えば、特許文献２参照）。
【０００６】
以下、その乾燥機について説明する。
【０００７】
乾燥機とは別に設けた衣類等の被乾燥物を吊るす竿の一端に重量センサを配置し、重量センサの出力を乾燥機に入力して衣類等の被乾燥物の重量を検知できるようにし、衣類等の被乾燥物の重量の推移から衣類等の被乾燥物が乾燥したことを判断して停止する。
【０００８】
また、この種の除湿装置は、衣類乾燥の運転を開始した後、衣類等の被乾燥物の重量の推移から衣類等の被乾燥物が乾燥したことを判断して停止する除湿装置が知られている（例えば、特許文献３参照）。
【０００９】
以下、その除湿装置について説明する。
【００１０】
除湿装置に設けた衣類等の被乾燥物を吊るす竿の一端に重量センサを配置して、衣類等の被乾燥物を吊るす竿に干された衣類等の被乾燥物の重量を検知できるようにし、衣類等の被乾燥物の重量の推移から衣類等の被乾燥物が乾燥したことを判断して停止する。
【先行技術文献】
【特許文献】
【００１１】
【特許文献１】特開２００７−１８１５８５号公報
【特許文献２】特公平０７−４７０７８号公報
【特許文献３】特開平０１−３００９９７号公報
【発明の概要】
【発明が解決しようとする課題】
【００１２】
このような従来の除湿装置においては、温度と湿度の変化から衣類等の被乾燥物が乾燥したことを判断する場合、２人から４人程度の家族構成の１日の洗濯物程度の量であれば、衣類等の被乾燥物からの水分蒸発の影響が室内の湿度に大きく反映されるため、室内の温度と湿度の推移と除湿装置の運転時間の長さから衣類等の被乾燥物の乾燥度合いを推定し、衣類等の被乾燥物が乾燥したことを精度良く判断して停止することができるが、手洗いする程度の量のようなタオル数枚程度の量であると、衣類等の被乾燥物の水分蒸発の影響が室内の湿度に反映されないため、室内の温度と湿度の推移と除湿装置の運転時間の長さから衣類等の被乾燥物の乾燥度合いの推定に大きな誤差が生じるため、室内の温度と湿度の推移と除湿装置の運転時間の長さから手洗いする程度の量の被乾燥物の乾燥度合いの推定に大きな誤差が生じて、衣類等の被乾燥物が乾燥したことを精度良く判断することができず、無駄な運転を継続してしまうという課題を有していた。
【００１３】
また、除湿装置とは別に設けた衣類等の被乾燥物を吊るす竿の一端に重量センサを配置し、重量センサの出力を除湿装置に入力して衣類等の被乾燥物の重さの推移から衣類等の被乾燥物が乾燥したことを判断する場合、２人から４人程度の家族構成の１日の洗濯物程度の量から手洗いする程度の量の被乾燥物に対して、衣類等の被乾燥物が乾燥したことを精度良く判断することが可能であるが、２人から４人程度の家族構成の１日の洗濯物程度の量の被乾燥物を吊るすだけの場所を確保する必要があるため、衣類等の被乾燥物を吊るす竿と衣類等の被乾燥物の重量を検知する重量センサを除湿装置の外部に設けなければならないため、除湿装置の移動や使用する場所を変更する度に設置工事が必要となり、除湿装置の移動が困難になるという課題を有していた。
【００１４】
また、除湿装置に衣類等の被乾燥物を吊るす竿と衣類等の被乾燥物の重量を検知する重量センサを設けて、衣類等の被乾燥物の重量の推移から衣類等の被乾燥物が乾燥したことを判断する場合、衣類等の被乾燥物の量が多くなるほど除湿装置に設けられた衣類等の被乾燥物を吊るす竿の大きさを大きくする必要があり、さらに衣類等の被乾燥物を吊るす竿に干される衣類等の被乾燥物の重量が増えることにより除湿装置の安定性が悪くなり、転倒防止として除湿装置の重量を重くする必要も生じるので、２人から４人程度の家族構成の１日の洗濯物程度の量の被乾燥物を一度の運転で乾燥するためには、除湿装置の大きさを大きくし重量も重くしなければならないという課題を有していた。
【００１５】
そこで本発明は、上記従来の課題を解決するものであり、２人から４人程度の家族構成の１日の洗濯物程度の量の場合であれば、一般的な衣類などの被乾燥物を吊るす台などに干された衣類等の被乾燥物の乾燥度合いを除湿装置に設けられた温度センサと湿度センサで検知した室内の温度と湿度の推移と衣類乾燥の運転時間の長さから衣類等の被乾燥物が乾燥したことを判断するようにし、手洗いする程度の量の場合であれば、衣類等の被乾燥物を吊るす竿と衣類等の被乾燥物の重量を検知する重量センサを除湿装置に設け、衣類等の被乾燥物の重量の推移から衣類等の被乾燥物を吊るす竿に干された被乾燥物が乾燥したことを判断するようにする。このように衣類等の被乾燥物の量によって衣類等の被乾燥物の乾燥度合いの判断方法を切り替えることにより、特別な設置工事を必要とせず、従来からある持ち運び可能な除湿装置の大きさや重量の増加を最小限に抑え、２人から４人程度の家族構成の１日の洗濯物程度の量から手洗いする程度の量の被乾燥物の量にも左右されること無く、衣類等の被乾燥物が乾燥したことを精度良く判断して、無駄な運転を継続しないようにすることができる除湿装置を提供することを目的としている。
【課題を解決するための手段】
【００１６】
そして、この目的を達成するために、本発明は、室内の温度を検知する温度センサと室内の湿度を検知する湿度センサと前記温度センサと前記湿度センサで検知した室内の温度と湿度の推移から衣類等の被乾燥物の乾燥度合いを判断して停止する温湿度推移による乾燥判断機能を搭載した除湿装置に前記除湿装置に収納可能な大きさで手洗いする程度の量の衣類等の被乾燥物を吊るすことができる洗濯竿と前記洗濯竿に吊るされた衣類等の被乾燥物の重量を検知する重量センサと前記重量センサで検知した前記洗濯竿に吊るされた衣類等の被乾燥物の重量の推移から衣類等の被乾燥物の乾燥度合いを判断して停止する重量推移による乾燥判断機能を備え、前記重量センサの重量の発生から衣類等の被乾燥物の量が手洗いする程度の量と判断して、衣類等の被乾燥物の乾燥度合いの判断方法を前記重量推移による乾燥判断機能に切り替えることを特徴としたものであり、これにより所期の目的を達成するものである。
【発明の効果】
【００１７】
本発明によれば、室内の温度を検知する温度センサと室内の湿度を検知する湿度センサと前記温度センサと前記湿度センサで検知した室内の温度と湿度の推移から衣類等の被乾燥物の乾燥度合いを判断して停止する温湿度推移による乾燥判断機能を搭載した除湿装置に前記除湿装置に収納可能な大きさで手洗いする程度の量の衣類等の被乾燥物を吊るすことができる洗濯竿と前記洗濯竿に吊るされた衣類等の被乾燥物の重量を検知する重量センサと前記重量センサで検知した前記洗濯竿に吊るされた衣類等の被乾燥物の重量の推移から衣類等の被乾燥物の乾燥度合いを判断して停止する重量推移による乾燥判断機能を備え、前記重量センサの重量の発生から衣類等の被乾燥物の量が手洗いする程度の量と判断して、衣類等の被乾燥物の乾燥度合いの判断方法を前記重量推移による乾燥判断機能に切り替えることにより、特別な設置工事を必要とせず、従来からある持ち運び可能な除湿装置の大きさや重量の増加を最小限に抑え、２人から４人程度の家族構成の１日の洗濯物程度の量から手洗いする程度の量の被乾燥物の量にも左右されること無く、衣類等の被乾燥物が乾燥したことを精度良く判断して、無駄な運転を継続しないようにすることができるという効果を得ることができる。
【図面の簡単な説明】
【００１８】
【図１】本発明の実施の形態１の除湿装置（洗濯竿使用時）の図
【図２】本発明の実施の形態１の除湿装置（洗濯竿収納時）の図
【図３】本発明の実施の形態１の除湿装置の制御手段の構成を示す図
【図４】同除湿装置の温湿度推移による衣類乾燥の制御方法を示す図
【図５】同除湿装置の温湿度推移による衣類乾燥のパラメータの図
【図６】同除湿装置の温度と湿度と乾燥度の推移を示す図
【図７】同除湿装置の重量推移による衣類乾燥の制御方法を示す図
【図８】同除湿装置の衣類の重量推移を示す図
【図９】同除湿装置の衣類乾燥の制御方法を示す図
【図１０】本発明の実施の形態２の除湿装置の図
【図１１】同除湿装置の洗濯竿検知スイッチによる衣類乾燥の制御方法を示す図
【図１２】本発明の実施の形態３の除湿装置の図
【発明を実施するための形態】
【００１９】
本発明の請求項１記載の除湿装置は、本発明によれば、室内の温度を検知する温度センサと室内の湿度を検知する湿度センサと前記温度センサと前記湿度センサで検知した室内の温度と湿度の推移から衣類等の被乾燥物の乾燥度合いを判断して停止する温湿度推移による乾燥判断機能を搭載した除湿装置に前記除湿装置に収納可能な大きさで手洗いする程度の量の衣類等の被乾燥物を吊るすことができる洗濯竿と前記洗濯竿に吊るされた衣類等の被乾燥物の重量を検知する重量センサと前記重量センサで検知した前記洗濯竿に吊るされた衣類等の被乾燥物の重量の推移から衣類等の被乾燥物の乾燥度合いを判断して停止する重量推移による乾燥判断機能を備え、前記重量センサの重量の発生から衣類等の被乾燥物の量が手洗いする程度の量と判断して、衣類等の被乾燥物の乾燥度合いの判断方法を前記重量推移による乾燥判断機能に切り替えることにより、特別な設置工事を必要とせず、従来からある持ち運び可能な除湿装置の大きさや重量の増加を最小限に抑え、２人から４人程度の家族構成の１日の洗濯物程度の量から手洗いする程度の量の被乾燥物の量にも左右されること無く、衣類等の被乾燥物が乾燥したことを精度良く判断して、無駄な運転を継続しないようにすることができるという効果を奏する。
【００２０】
また、前記洗濯竿が使用されたことを検知する洗濯竿スイッチを設けて、前記洗濯竿スイッチの信号を検知して衣類等の被乾燥物の乾燥度合いの判断方法を前記重量推移による乾燥度合いの判断に切り替える構成にしてもよい。これにより、洗濯竿の使用と未使用が確実に分かるため、温湿度推移による乾燥判断機能と重量推移による乾燥判断機能の切り替えの誤動作を防止することができるという効果を奏する。
【００２１】
また、手洗いする程度の衣類等の被乾燥物を乾燥する機能を選択する少量衣類乾燥スイッチを設けて、前記少量衣類乾燥スイッチが選択されたときに、衣類等の被乾燥物の乾燥度合いの判断方法を前記重量推移による乾燥度合いの判断に切り替える構成にしてもよい。これにより、使用者自身が衣類等の被乾燥物の量によって選択可能になるため、温湿度推移による乾燥判断機能と重量推移による乾燥判断機能の切り替えの誤動作を防止することができるという効果を奏する。
【００２２】
（実施の形態１）
図１から図３に本発明に関わる除湿装置の全体構成を示す。
【００２３】
図１と図２に示すように、除湿装置は、本体１の天面に除湿装置の操作と運転状態を表示するための操作表示部２と室内の空気を吸い込む吸込口３と除湿された空気と室内の空気と除湿された空気と室内の空気の混合空気のいずれかを吹き出すための吹出口４と吹出口４から吹き出す空気の風向を上下方向に変化させるための風向ルーバー５と水平方向に送風範囲を変化させる送風範囲ルーバー６と除湿した水分を集めるためのタンク７と室内の空気の温度と湿度を検知する温湿度センサ８と手洗いする程度の衣類等の被乾燥物９を吊るす洗濯竿１０と洗濯竿１０を固定する洗濯竿固定台１１と洗濯竿１０と洗濯竿固定台１１が接触する場所に衣類等の被乾燥物の重量を検知する重量センサ１２と洗濯竿１０を収納する洗濯竿収納溝１３を備えている。また、洗濯竿１０は回転する機構となっており、洗濯竿１０を使用するときは図１の状態、洗濯竿１０を収納するときは図２のように洗濯竿１０を洗濯竿収納溝１３に固定できる構成としている。
【００２４】
図には示していないが、温湿度センサ８は、雰囲気温度の検知と雰囲気湿度の検知ができるものであればよく、温度検知には安価なサーミスタを使用することができ、湿度検知には安価な高分子センサや精度の良い静電容量型センサを使用することができる。
【００２５】
図３に示すように、除湿装置の本体１の内部には、除湿装置の運転を制御する制御装置１４と、乾燥した空気を作る除湿手段１５がある。除湿手段１５は、吸い込んだ空気の水分を吸着する吸湿ローター１６と吸湿ローター１６を加熱して吸湿ローター１６から水分を放出させるための再生ヒーター１７と吸湿ローター１６から放出された水分を凝縮させるための凝縮器１８から構成されている。さらに室内の空気を吸込口３から吸い込んで本体１の内部を循環させて吹出口４から吹き出すためのファン１９が収納されている。図には示していないが、他に風向ルーバー５と送風範囲ルーバー６を駆動するためのステッピングモータなどが収納されている。制御装置１４には、負荷を駆動するためのトライアックやリレーなどの電子部品で構成された負荷駆動回路２０と、カウンターやタイマーや時計機能などＲＡＭやＲＯＭを内部に持つマイコン２１を備えており、マイコン２１の動作はマイコン内のカウンターやタイマーや時計機能やＲＡＭやＲＯＭが共同するマイコンのプログラムの形態で実施される。
【００２６】
図４から図６に本発明に関わる除湿装置の温湿度推移による乾燥判断機能を示す。
【００２７】
図４に示すように、ステップ１で除湿装置の衣類乾燥運転を開始したら、ステップ２に移行して乾燥度Ｄｘと計算用乾燥度Ｄｘ２の初期値としての乾燥度初期値Ｄｘ１と設定する。乾燥度Ｄｘとは、一定時間毎に図５に示す温度と湿度の値から決定されるパラメータＤの値を乾燥度初期値Ｄｘ１から減算していき、所定の値以下になったときに衣類が乾燥したと判断する値であり、計算用乾燥度Ｄｘ２は計算途中に衣類乾燥途中の乾燥度Ｄｘを一旦記憶しておくためのものである。また、乾燥度初期値Ｄｘ１とパラメータＤは、予めマイコン２１に記憶しておく一定値である。そして、ステップ３で一定時間Ｔ１経過後にステップ４に移行し、温湿度センサ８から部屋の湿度Ｈと温度Ｒを検知して、ステップ５で湿度Ｈと温度Ｒの値から図５に該当するパラメータＤを決定する。次にステップ６で計算用乾燥度Ｄｘ２からパラメータＤの値を減算して、一定時間Ｔ１経過後の乾燥度Ｄｘを算出して、ステップ７に移行し、計算用乾燥度Ｄｘ２に一定時間Ｔ１経過後の乾燥度Ｄｘの値を記憶する。そして、ステップ８で乾燥度Ｄｘの値が零以下であるかどうかを確認し、乾燥度Ｄｘが零よりも大きければ、衣類等の被乾燥物が乾いていないと判断してステップ３に移行して、ステップ３からステップ８を繰り返して衣類乾燥を継続する。また、ステップ８で乾燥度Ｄｘが零以下であった場合は、衣類等の被乾燥物が乾いたと判断してステップ９に移行し、除湿装置の運転を停止する。このような運転をすることで、衣類等の被乾燥物の乾燥度合いを温度と湿度の推移から精度良く検知して停止することができる除湿装置が得られる。
【００２８】
ここで、乾燥度Ｄｘ１とパラメータＤの決定方法について説明する。
【００２９】
図６に示すように、衣類等の被乾燥物を室内に干すと、湿度は急激に増加する。そして、除湿装置の衣類乾燥の運転を開始すると、室内の湿度は時間とともに低下し、室内の温度は除湿装置の運転によって上昇する。また、乾燥したときの衣類等の被乾燥物の重量に対する洗濯して水分を含んだ衣類等の被乾燥物の重量の割合を百分率で表したものを乾燥度とすると、乾燥度は除湿装置の運転により衣類等の被乾燥物に含まれる水分が蒸発するので、時間とともに乾燥度は１００％に近づいていくように推移する。このような特徴を念頭に置き、除湿装置を使用する温度と湿度の条件と一般家庭で一度に乾燥する衣類等の被乾燥物の量をいくつかのパターンで想定して、乾燥度がある一定値を超えたときを衣類等の被乾燥物が乾燥したと判断する実験を何回か実施する。このときの乾燥度の推移と温度と湿度の推移を分析して、乾燥度Ｄｘ１とパラメータＤを決定するが次のような特徴があることに留意して決定する。今回の場合、温度と湿度から決定したパラメータＤの値を乾燥度初期値Ｄｘ１から引くようにしているため、乾燥度初期値Ｄｘ１は、パラメータＤが最も低い条件で運転を続けた場合は最大運転時間となり、逆にパラメータＤが最も大きい条件で運転を続けた場合は最小運転時間となることを考慮して、実験で得られた衣類等の被乾燥物が乾燥するまでの時間から乾燥度初期値Ｄｘ１を決定し、乾燥時間を衣類等の被乾燥物が乾燥を調整できるように周囲の温度と湿度の条件からパラメータＤと決定する。このように調整することで、乾燥度初期値Ｄｘ１の減少が室内の温度と湿度の推移からパラメータＤにより自動手的に調整されることにより、除湿装置の運転時間も自動手的に調整されるため、衣類等の被乾燥物が乾燥したことを精度良く判断して停止することが可能となる。
【００３０】
ただし、衣類等の被乾燥物の量が少ないと、図６に示すような湿度の増加が無く、衣類等の被乾燥物の水分蒸発の影響が室内の湿度に反映されないため、室内の温度と湿度の推移と除湿装置の運転時間の長さに大きな誤差が生じるため、無駄な運転を継続してしまう欠点も存在する。
【００３１】
図７と図８に本発明に関わる除湿装置の重量推移による乾燥判断機能を示す。
【００３２】
図７に示すように、ステップ１０にて除湿装置の衣類乾燥運転を開始したら、ステップ１１に移行して重量センサ１２で検知した衣類等の被乾燥物の重量Ｇ１を記憶する。ステップ１２で一定時間Ｔ２経過後にステップ１３に移行して、重量センサ１２で検知した衣類等の被乾燥物の重量Ｇ２を記憶して、ステップ１４で一定時間Ｔ２の間に衣類等の被乾燥物の減少した重量ΔＧ１＝Ｇ１−Ｇ２を算出する。次にステップ１５に移行して一定時間Ｔ２経過後の衣類等の被乾燥物の重量Ｇ２をＧ１に記憶する。そして、ステップ１６に移行して、乾燥重量差Ｇ３と比較する。減少した重量ΔＧ１がＧ３よりも大きければ、ステップ１２に移行し、ステップ１２からステップ１６を繰り返して衣類乾燥を継続する。また、ステップ１２で減少した重量ΔＧ１が乾燥重量差Ｇ３以下であった場合は、衣類等の被乾燥物が乾いたと判断してステップ１７に移行し、除湿装置の運転を停止する。このような運転をすることで、衣類等の被乾燥物の乾燥度合いを衣類等の被乾燥物の重量推移から精度良く検知して停止することができる除湿装置が得られる。
【００３３】
図９に示すように、ステップ１８にて除湿装置の衣類乾燥運転を開始したら、ステップ１９に移行して重量センサ１２で検知した重量Ｇ４と洗濯竿１０の重量Ｇ５の重量差ΔＧ２＝Ｇ５−Ｇ４を算出する。そして、重量差ΔＧ２が０よりも大きければ、手洗い程度の量の衣類等の被乾燥物と判断してステップ２１に移行し、重量推移による乾燥判断の制御に切り替える。このステップ２１の重量推移による乾燥判断の制御方法は図７に示した制御方法となる。また、重量差ΔＧ２が０以下であれば、ステップ２２に移行し、温湿度推移による乾燥判断の制御に切り替える。このステップ２２の温湿度推移による乾燥判断の制御方法は図４に示した制御方法となる。このような運転をすることで、特別な設置工事を必要とせず、従来からある持ち運び可能な除湿装置の大きさや重量の増加を最小限に抑え、２人から４人程度の家族構成の１日の洗濯物程度の量から手洗いする程度の量の被乾燥物の量にも左右されること無く、衣類等の被乾燥物が乾燥したことを精度良く判断して、無駄な運転を継続しないようにすることができる除湿装置が得られる。
【００３４】
ここでは、温度と湿度の推移による衣類等の被乾燥物の乾燥判断方法と衣類等の被乾燥物の重量推移による衣類等の被乾燥物の乾燥判断方法の一例を示しているが、温度と湿度の推移による衣類等の被乾燥物の乾燥判断方法と衣類等の被乾燥物の重量推移による衣類等の被乾燥物の乾燥判断方法を切り替える方法であれば、その方法に限定されず、その作用効果に差異は生じない。
【００３５】
（実施の形態２）
実施の形態１と同一部分は同一番号を付し、詳細な説明は省略する。
【００３６】
図１０に示すように、洗濯竿収納溝１３に洗濯竿１０が使用されているかどかを検知する洗濯竿検知スイッチ２２を設けた構成とする。また、洗濯竿検知スイッチ２２は、洗濯竿１０が収納されていることが検知で切ればよく、押しボタンスイッチなどを使用することが可能である。
【００３７】
図１１に示すように、ステップ２３で除湿装置の衣類簡素運転を開始したら、ステップ２４に移行して洗濯竿検知スイッチ２２の信号から洗濯竿１０が使用されているかどうかを判断する。そして、洗濯竿１０が使用されていれば、手洗い程度の量の衣類等の被乾燥物と判断してステップ２１に移行し、重量推移による乾燥判断の制御に切り替える。このステップ２１の重量推移による乾燥判断の制御方法は図７に示した制御方法となる。また、洗濯竿１０が使用されていなければ、ステップ２２に移行し、温湿度推移による乾燥判断の制御に切り替える。このステップ２２の温湿度推移による乾燥判断の制御方法は図４に示した制御方法となる。このような運転をすることで、衣類等の被乾燥物が洗濯竿１０に吊るされた場合は、衣類等の被乾燥物の重量変化のみを重量センサ１２で検知すればよく、衣類等の被乾燥物と洗濯竿１０の重量比較による乾燥判断機能の切り替えを判断する必要がなくなり、乾燥判断機能の切り替え誤動作の防止をすることが可能となる。
【００３８】
（実施の形態３）
実施の形態１と実施の形態２と同一部分は同一番号を付し、詳細な説明は省略する。
【００３９】
図２に示すように、操作表示部２に衣類乾燥スイッチ２３を設けた構成にする。衣類乾燥スイッチ２３により、使用者が２人から４人程度の家族構成の１日の洗濯物程度の量を乾燥する通常量乾燥の衣類乾燥の運転と手洗いする程度の量を乾燥する少量乾燥の衣類乾燥の運転を洗濯できるようにすることで、衣類等の被乾燥物と洗濯竿１０の重量比較による乾燥判断機能の切り替えを判断する必要がなくなり、乾燥判断機能の切り替え誤動作の防止をすることが可能となる。
【産業上の利用可能性】
【００４０】
本発明にかかる除湿装置は、一般家電用の衣類等の乾燥制御に適用できる。
【符号の説明】
【００４１】
１  本体
２  操作表示部
３  吸込口
４  吹出口
５  風向ルーバー
６  送風範囲ルーバー
７  タンク
８  温湿度センサ
９  手洗いする程度の衣類等の被乾燥物
１０  洗濯竿
１１  洗濯竿固定台
１２  重量センサ
１３  洗濯竿収納溝
１４  制御装置
１５  除湿手段
１６  吸湿ローター
１７  再生ヒーター
１８  凝縮器
１９  ファン
２０  負荷駆動回路
２１  マイコン
２２  洗濯竿検知スイッチ
２３  衣類乾燥スイッチ
【図１】
2013240406.tif 000003
【図２】
2013240406.tif 000004
【図３】
2013240406.tif 000005
【図４】
2013240406.tif 000006
【図５】
2013240406.tif 000007
【図６】
2013240406.tif 000008
【図７】
2013240406.tif 000009
【図８】
2013240406.tif 000010
【図９】
2013240406.tif 000011
【図１０】
2013240406.tif 000012
【図１１】
2013240406.tif 000013
【図１２】
2013240406.tif 000014